(57)【要約】  本開示の一態様に係るユーザ端末は、複数のＰＤＳＣＨを受信する受信部と、各ＰＤＳＣＨについて、対応する下り制御情報の受信と当該ＰＤＳＣＨの受信との間の時間オフセットが所定の閾値より小さい場合に、サービングセルのＰＤＳＣＨの復調用参照信号（ＤＭＲＳ）ポートが、当該サービングセルのアクティブＢＷＰ（Bandwidth Part）内の１つ以上のＣＯＲＥＳＥＴ（COntrol REsource SET）が当該ユーザ端末に設定される最新のスロットにおける所定のパネルＩＤの最小のＣＯＲＥＳＥＴ−ＩＤのＰＤＣＣＨ用のＱＣＬ（Quasi-Co-Location）指示のために用いられるＱＣＬパラメータに関するＴＣＩ（Transmission Configuration Indication）状態における参照信号と、ＱＣＬであると想定する制御部と、を有することを特徴とする。本開示の一態様によれば、マルチパネル／ＴＲＰを用いる場合であってもＤＬ通信を好適に実施できる。
2020090059.tif 000002
【特許請求の範囲】
【請求項１】
複数のＰＤＳＣＨ（Physical  Downlink  Shared  Channel）を受信する受信部と、  各ＰＤＳＣＨについて、対応する下り制御情報の受信と当該ＰＤＳＣＨの受信との間の時間オフセットが所定の閾値より小さい場合に、サービングセルのＰＤＳＣＨの復調用参照信号（ＤＭＲＳ：DeModulation  Reference  Signal）ポートが、当該サービングセルのアクティブＢＷＰ（Bandwidth  Part）内の１つ以上のＣＯＲＥＳＥＴ（COntrol  REsource  SET）が当該ユーザ端末に設定される最新のスロットにおける所定のパネルＩＤ（Identifier）の最小のＣＯＲＥＳＥＴ−ＩＤのＰＤＣＣＨ（Physical  Downlink  Control  Channel）用のＱＣＬ（Quasi-Co-Location）指示のために用いられるＱＣＬパラメータに関するＴＣＩ（Transmission  Configuration  Indication）状態における参照信号と、ＱＣＬであると想定する制御部と、を有することを特徴とするユーザ端末。
【請求項２】
前記所定のパネルＩＤは、最小又は最大のパネルＩＤであることを特徴とする請求項１に記載のユーザ端末。
【請求項３】
前記所定のパネルＩＤは、対応する関連パネルＩＤであることを特徴とする請求項１に記載のユーザ端末。
【請求項４】
前記複数のＰＤＳＣＨは、それぞれ別々の送受信ポイントから送信されることを特徴とする請求項３に記載のユーザ端末。
【請求項５】
前記最小のＣＯＲＥＳＥＴ−ＩＤのＰＤＣＣＨは、ＰＤＳＣＨをスケジュールするＰＤＣＣＨに限定されることを特徴とする請求項１から請求項４のいずれかに記載のユーザ端末。
【請求項６】
複数のＰＤＳＣＨ（Physical  Downlink  Shared  Channel）を受信するステップと、  各ＰＤＳＣＨについて、対応する下り制御情報の受信と当該ＰＤＳＣＨの受信との間の時間オフセットが所定の閾値より小さい場合に、サービングセルのＰＤＳＣＨの復調用参照信号（ＤＭＲＳ：DeModulation  Reference  Signal）ポートが、当該サービングセルのアクティブＢＷＰ（Bandwidth  Part）内の１つ以上のＣＯＲＥＳＥＴ（COntrol  REsource  SET）が当該ユーザ端末に設定される最新のスロットにおける所定のパネルＩＤ（Identifier）の最小のＣＯＲＥＳＥＴ−ＩＤのＰＤＣＣＨ（Physical  Downlink  Control  Channel）用のＱＣＬ（Quasi-Co-Location）指示のために用いられるＱＣＬパラメータに関するＴＣＩ（Transmission  Configuration  Indication）状態における参照信号と、ＱＣＬであると想定するステップと、を有することを特徴とするユーザ端末の無線通信方法。
【発明の詳細な説明】
【技術分野】
【０００１】  本開示は、次世代移動通信システムにおけるユーザ端末及び無線通信方法に関する。
【背景技術】
【０００２】  ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】  ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】  将来の無線通信システム（例えば、ＮＲ）では、ユーザ端末（ＵＥ：User  Equipment）は、信号及びチャネルの少なくとも一方（信号／チャネルと表現する）の疑似コロケーション（ＱＣＬ：Quasi-Co-Location）に関する情報に基づいて、当該信号／チャネルの受信処理（例えば、デマッピング、復調、復号、受信ビーム形成など）、送信処理（例えば、マッピング、変調、符号化、プリコーディング、送信ビーム形成など）を制御することが検討されている。【０００６】  また、ＮＲでは、１つ又は複数の送受信ポイント（ＴＲＰ：Transmission/Reception  Point）（マルチＴＲＰ）が、１つ又は複数のパネル（マルチパネル）を用いて、ＵＥに対してＤＬ送信（例えば、ＰＤＳＣＨ送信）を行うことが検討されている。【０００７】  しかしながら、これまでのＮＲ仕様においては、マルチパネル／ＴＲＰが考慮されていないため、マルチパネル／ＴＲＰが用いられる場合のＱＣＬ想定を適切に制御できない。したがって、現状のＮＲ仕様に従う場合には、マルチパネル／ＴＲＰを用いる場合の空間ダイバーシチ利得、高ランク送信などが好適に実現できず、通信スループットの増大が抑制されるおそれがある。【０００８】  そこで、本開示は、マルチパネル／ＴＲＰを用いる場合であってもＤＬ通信を好適に実施できるユーザ端末及び無線通信方法を提供することを目的の１つとする。
【課題を解決するための手段】
【０００９】  本開示の一態様に係るユーザ端末は、複数のＰＤＳＣＨ（Physical  Downlink  Shared  Channel）を受信する受信部と、各ＰＤＳＣＨについて、対応する下り制御情報の受信と当該ＰＤＳＣＨの受信との間の時間オフセットが所定の閾値より小さい場合に、サービングセルのＰＤＳＣＨの復調用参照信号（ＤＭＲＳ：DeModulation  Reference  Signal）ポートが、当該サービングセルのアクティブＢＷＰ（Bandwidth  Part）内の１つ以上のＣＯＲＥＳＥＴ（COntrol  REsource  SET）が当該ユーザ端末に設定される最新のスロットにおける所定のパネルＩＤ（Identifier）の最小のＣＯＲＥＳＥＴ−ＩＤのＰＤＣＣＨ（Physical  Downlink  Control  Channel）用のＱＣＬ（Quasi-Co-Location）指示のために用いられるＱＣＬパラメータに関するＴＣＩ（Transmission  Configuration  Indication）状態における参照信号と、ＱＣＬであると想定する制御部と、を有することを特徴とする。
【発明の効果】
【００１０】  本開示の一態様によれば、マルチパネル／ＴＲＰを用いる場合であってもＤＬ通信を好適に実施できる。
【図面の簡単な説明】
【００１１】
【図１】図１は、ＰＤＳＣＨのＤＭＲＳポートのＱＣＬ想定の一例を示す図である。
【図２】図２Ａ−２Ｄは、マルチパネル／ＴＲＰシナリオの一例を示す図である。
【図３】図３は、マルチパネル／ＴＲＰが用いられる場合のＰＤＳＣＨのＤＭＲＳポートのＱＣＬ想定の課題を示す図である。
【図４】図４Ａ及び４Ｂは、第１の実施形態におけるＰＤＳＣＨのＤＭＲＳポートのＱＣＬ想定の一例を示す図である。
【図５】図５Ａ及び５Ｂは、第１の実施形態の変形例におけるＰＤＳＣＨのＤＭＲＳポートのＱＣＬ想定の一例を示す図である。
【図６】図６Ａ及び６Ｂは、第２の実施形態におけるＰＤＳＣＨのＤＭＲＳポートのＱＣＬ想定の一例を示す図である。
【図７】図７Ａ及び７Ｂは、第２の実施形態の変形例におけるＰＤＳＣＨのＤＭＲＳポートのＱＣＬ想定の一例を示す図である。
【図８】図８は、一実施形態に係る無線通信システムの概略構成の一例を示す図である。
【図９】図９は、一実施形態に係る基地局の構成の一例を示す図である。
【図１０】図１０は、一実施形態に係るユーザ端末の構成の一例を示す図である。
【図１１】図１１は、一実施形態に係る基地局及びユーザ端末のハードウェア構成の一例を示す図である。
【発明を実施するための形態】
【００１２】（ＱＣＬ／ＴＣＩ）  ＮＲでは、送信設定指示状態（ＴＣＩ状態（Transmission  Configuration  Indication  state））に基づいて、信号及びチャネルの少なくとも一方（信号／チャネルと表現する）の受信処理（例えば、受信、デマッピング、復調、復号の少なくとも１つ）を制御することが検討されている。
【００１３】  ここで、ＴＣＩ状態とは、信号／チャネルの疑似コロケーション（ＱＣＬ：Quasi-Co-Location）に関する情報であり、空間受信パラメータ、空間関係情報（spatial  relation  info）などとも呼ばれてもよい。ＴＣＩ状態は、チャネルごと又は信号ごとにＵＥに設定されてもよい。
【００１４】  ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００１５】  なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１６】  ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：  ・ＱＣＬタイプＡ：ドップラーシフト、ドップラースプレッド、平均遅延及び遅延スプレッド、  ・ＱＣＬタイプＢ：ドップラーシフト及びドップラースプレッド、  ・ＱＣＬタイプＣ：ドップラーシフト及び平均遅延、  ・ＱＣＬタイプＤ：空間受信パラメータ。
【００１７】  所定のＣＯＲＥＳＥＴ、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００１８】  ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００１９】  ＴＣＩ状態は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよい。ＴＣＩ状態は、上位レイヤシグナリング、物理レイヤシグナリング又はこれらの組み合わせによって設定（指示）されてもよい。
【００２０】  本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２１】  ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２２】  物理レイヤシグナリングは、例えば、下り制御情報（ＤＣＩ：Downlink  Control  Information）であってもよい。
【００２３】  ＴＣＩ状態が設定（指定）されるチャネルは、例えば、下り共有チャネル（ＰＤＳＣＨ：Physical  Downlink  Shared  Channel）、下り制御チャネル（ＰＤＣＣＨ：Physical  Downlink  Control  Channel）、上り共有チャネル（ＰＵＳＣＨ：Physical  Uplink  Shared  Channel）、上り制御チャネル（ＰＵＣＣＨ：Physical  Uplink  Control  Channel）の少なくとも１つであってもよい。
【００２４】  また、当該チャネルとＱＣＬ関係となるＲＳは、例えば、同期信号ブロック（ＳＳＢ：Synchronization  Signal  Block）、チャネル状態情報参照信号（ＣＳＩ−ＲＳ：Channel  State  Information  Reference  Signal）、測定用参照信号（ＳＲＳ：Sounding  Reference  Signal）の少なくとも１つであってもよい。
【００２５】  ＳＳＢは、プライマリ同期信号（ＰＳＳ：Primary  Synchronization  Signal）、セカンダリ同期信号（ＳＳＳ：Secondary  Synchronization  Signal）及びブロードキャストチャネル（ＰＢＣＨ：Physical  Broadcast  Channel）の少なくとも１つを含む信号ブロックである。ＳＳＢは、ＳＳ／ＰＢＣＨブロックと呼ばれてもよい。
【００２６】  上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関連情報）及びＱＣＬタイプを示す情報（ＱＣＬタイプ情報）の少なくとも１つを含んでもよい。ＤＬ−ＲＳ関連情報は、ＤＬ−ＲＳのインデックス（例えば、ＳＳＢインデックス、ノンゼロパワーＣＳＩ−ＲＳリソースＩＤ）、ＲＳが位置するセルのインデックス、ＲＳが位置するＢＷＰ（Bandwidth  Part）のインデックスなどの情報を含んでもよい。
【００２７】＜ＰＤＣＣＨのためのＴＣＩ状態＞  ＰＤＣＣＨ（又はＰＤＣＣＨに関連するＤＭＲＳアンテナポート）及び所定のＤＬ−ＲＳとのＱＣＬに関する情報は、ＰＤＣＣＨのためのＴＣＩ状態などと呼ばれてもよい。
【００２８】  ＵＥは、ＵＥ固有のＰＤＣＣＨ（ＣＯＲＥＳＥＴ）のためのＴＣＩ状態を、上位レイヤシグナリングに基づいて判断してもよい。
【００２９】  本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００３０】  ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００３１】  例えば、ＵＥに対して、ＣＯＲＥＳＥＴごとに、１つ又は複数（Ｋ個）のＴＣＩ状態がＲＲＣシグナリング（ControlResourceSet情報要素）によって設定されてもよい。また、ＵＥは、各ＣＯＲＥＳＥＴについて、それぞれ１つ又は複数のＴＣＩ状態を、ＭＡＣ  ＣＥを用いてアクティベートしてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３２】＜ＰＤＳＣＨのためのＴＣＩ状態＞  ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３３】  ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３４】  ＰＤＳＣＨのスケジューリングに用いられる下り制御情報（ＤＣＩ：Downlink  Control  Information）は、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３５】  ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００３６】  ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００３７】  ８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００３８】  当該ＭＡＣ  ＣＥは、ＲＲＣシグナリングによって設定されるＴＣＩ状態ＩＤ（TCI  state  ID）のうち、ＤＣＩのＴＣＩフィールドのコードポイントにマップするＴＣＩ状態を指定し、当該ＴＣＩ状態をアクティベートするために用いられる。アクティベートされたＴＣＩ状態は、ＴＣＩ状態ＩＤの昇順又は降順に、上記ＴＣＩフィールドのコードポイント値０から２ｘ−１（例えば、ｘ＝３の場合、７）にマップされてもよい。
【００３９】  ＵＥが、上記ＭＡＣ  ＣＥを提供したＰＤＳＣＨのためのＨＡＲＱ−ＡＣＫ（Hybrid  Automatic  Repeat  reQuest  ACKnowledgement）を送信するスロットをｎとおくと、当該ＭＡＣ  ＣＥに基づくアクティベーション／ディアクティベーション（ＤＣＩ内のＴＣＩフィールドとＴＣＩ状態とのマッピング）は、スロットｎ＋３＊（サブフレーム内のスロット数）＋１から適用されてもよい。つまり、スロットｎ＋３＊（サブフレーム内のスロット数）＋１において、上記ＭＡＣ  ＣＥに基づくＴＣＩフィールドのコードポイントの更新が有効であってもよい。
【００４０】  ＤＬ  ＤＣＩの受信と当該ＤＣＩに対応するＰＤＳＣＨの受信との間の時間オフセットが所定の閾値以上である場合、ＵＥは、当該ＤＣＩによって指示されるＴＣＩ状態によって与えられるＱＣＬタイプパラメータに関するＴＣＩ状態におけるＲＳと、サービングセルのＰＤＳＣＨのＤＭＲＳポートがＱＣＬである（”the  DM-RS  ports  of  PDSCH  of  a  serving  cell  are  quasi  co-located  with  the  RS(s)  in  the  TCI  state  with  respect  to  the  QCL  type  parameter(s)  given  by  the  indicated  TCI  state”）と想定してもよい。
【００４１】  ＤＬ  ＤＣＩの受信と当該ＤＣＩに対応するＰＤＳＣＨの受信との間の時間オフセットは、スケジューリングオフセットと呼ばれてもよい。
【００４２】  また、上記所定の閾値は、「Threshold」、「Threshold  for  offset  between  a  DCI  indicating  a  TCI  state  and  a  PDSCH  scheduled  by  the  DCI」、「Threshold-Sched-Offset」、スケジュールオフセット閾値、スケジューリングオフセット閾値などと呼ばれてもよい。
【００４３】  スケジューリングオフセット閾値は、ＵＥ能力に基づいてもよく、例えばＰＤＣＣＨの復号及びビーム切り替えにかかる遅延に基づいてもよい。当該スケジューリングオフセット閾値の情報は、基地局から上位レイヤシグナリングを用いて設定されてもよいし、ＵＥから基地局に送信されてもよい。
【００４４】  また、スケジューリングオフセットがスケジューリングオフセット閾値未満である場合、ＵＥは、サービングセルのアクティブＢＷＰ（Bandwidth  Part）内で１つ以上の制御リソースセット（ＣＯＲＥＳＥＴ：Control  Resource  Set）が当該ＵＥに設定される最新（直近、latest）のスロットにおける最小のＣＯＲＥＳＥＴ−ＩＤに対応するＰＤＣＣＨ  ＱＣＬ指示のために用いられるＱＣＬパラメータに関するＴＣＩ状態におけるＲＳと、当該サービングセルのＰＤＳＣＨのＤＭＲＳポートがＱＣＬである（the  DM-RS  ports  of  PDSCH  of  a  serving  cell  are  quasi  co-located  with  the  RS(s)  in  the  TCI  state  with  respect  to  the  QCL  parameter(s)  used  for  PDCCH  quasi  co-location  indication  of  the  lowest  CORESET-ID  in  the  latest  slot  in  which  one  or  more  CORESETs  within  the  active  BWP  of  the  serving  cell  are  configured  for  the  UE）と想定してもよい。
【００４５】  例えば、ＵＥは、上記ＰＤＳＣＨのＤＭＲＳポートが、上記最小のＣＯＲＥＳＥＴ−ＩＤに対応するＣＯＲＥＳＥＴについてアクティベートされたＴＣＩ状態に基づくＤＬ−ＲＳとＱＣＬであると想定してもよい。最新のスロットは、例えば、上記ＰＤＳＣＨをスケジュールするＤＣＩを受信するスロットであってもよい。
【００４６】  なお、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。
【００４７】  図１は、ＰＤＳＣＨのＤＭＲＳポートのＱＣＬ想定の一例を示す図である。本例では、スケジューリングオフセットがスケジューリングオフセット閾値より小さい。したがって、ＵＥは、当該ＰＤＳＣＨのＤＭＲＳポートが、最新のスロットにおける最小のＣＯＲＥＳＥＴ−ＩＤに対応するＰＤＣＣＨ用ＴＣＩ状態におけるＲＳ（例えば、ＰＤＣＣＨ用ＤＭＲＳ）と、ＱＣＬであると想定してもよい。
【００４８】（マルチパネル）  ＮＲでは、１つ又は複数の送受信ポイント（ＴＲＰ：Transmission/Reception  Point）（マルチＴＲＰ）が、１つ又は複数のパネル（マルチパネル）を用いて、ＵＥに対してＤＬ送信（例えば、ＰＤＳＣＨ送信）を行うことが検討されている。
【００４９】  図２Ａ−２Ｄは、マルチパネル／ＴＲＰシナリオの一例を示す図である。図２Ａ及び２Ｃは、１つのＴＲＰがマルチパネルを用いて、ＵＥにＰＤＣＣＨ及びＰＤＳＣＨを送信する例を示す。図２Ｂ及び２Ｄは、２つのＴＲＰ（ＴＲＰ１及び２）が、ＵＥにＰＤＣＣＨ及びＰＤＳＣＨを送信する例を示す。これらの例において、各ＴＲＰは４つの異なるビームを送信可能であると想定するが、これに限られない。
【００５０】  図２Ａ及び２Ｂは、複数のＰＤＳＣＨのスケジュールのために、複数のＰＤＣＣＨが用いられる例に対応する。ＵＥは、パネル１（又はＴＲＰ１）から送信される、ＤＣＩ１と、当該ＤＣＩ１によってスケジュールが指示されるＰＤＳＣＨ１（コードワード１）と、を受信する。ＵＥは、パネル２（又はＴＲＰ２）から送信される、ＤＣＩ２と、当該ＤＣＩ２によってスケジュールが指示されるＰＤＳＣＨ２（コードワード２）と、を受信する。
【００５１】  図２Ｃ及び２Ｄは、複数のＰＤＳＣＨのスケジュールのために、１つのＰＤＣＣＨ（シングルＰＤＣＣＨ）が用いられる例に対応する。ＵＥは、パネル１（又はＴＲＰ１）及びパネル２（又はＴＲＰ２）のいずれかから送信される、１つのＤＣＩを受信する。また、ＵＥは、パネル１（又はＴＲＰ１）から送信される、当該ＤＣＩによってスケジュールが指示されるＰＤＳＣＨ１（コードワード１）を受信する。また、ＵＥは、パネル２（又はＴＲＰ２）から送信される、当該ＤＣＩによってスケジュールが指示されるＰＤＳＣＨ２（コードワード２）を受信する。
【００５２】  このようなマルチパネル／ＴＲＰシナリオによれば、品質の良いチャネルを用いたより柔軟な送信制御が可能である。
【００５３】  しかしながら、これまでのＮＲ仕様においては、マルチパネル／ＴＲＰが考慮されていないため、マルチパネル／ＴＲＰが用いられる場合のＱＣＬ想定を適切に制御できない。
【００５４】  図３は、マルチパネル／ＴＲＰが用いられる場合のＰＤＳＣＨのＤＭＲＳポートのＱＣＬ想定の課題を示す図である。本例は、図２Ａ及び２Ｂに示したマルチＰＤＣＣＨの例に対応する。
【００５５】  ＵＥは、パネル１（又はＴＲＰ１又はＤＭＲＳポートグループ１）から送信されるＤＣＩ１及びＰＤＳＣＨ１を受信する。当該ＤＣＩ１の受信からＰＤＳＣＨ１までのスケジューリングオフセット１は、スケジューリングオフセット閾値より小さい。
【００５６】  また、ＵＥは、パネル２（又はＴＲＰ２又はＤＭＲＳポートグループ２）から送信されるＤＣＩ２及びＰＤＳＣＨ２を受信する。当該ＤＣＩ２の受信からＰＤＳＣＨ２までのスケジューリングオフセット２は、スケジューリングオフセット閾値より小さい。
【００５７】  図３の例において、ＰＤＳＣＨ１及びＰＤＳＣＨ２のＱＣＬをどのように想定するかについては、これまで検討が進んでいない。したがって、現状のＮＲ仕様に従う場合には、マルチパネル／ＴＲＰを用いる場合の空間ダイバーシチ利得、高ランク送信などが好適に実現できず、通信スループットの増大が抑制されるおそれがある。
【００５８】  そこで、本発明者らは、マルチパネル／ＴＲＰを用いる場合に対応できるＱＣＬ想定を着想した。
【００５９】  以下、本開示に係る実施形態について、図面を参照して詳細に説明する。各実施形態に係る無線通信方法は、それぞれ単独で適用されてもよいし、組み合わせて適用されてもよい。
【００６０】  なお、本開示において、パネル、ＴＲＰ、ＤＭＲＳポート、ＤＭＲＳポートグループ、ＰＤＳＣＨ、コードワードなどは、互いに読み替えられてもよい。また、パネルＩＤとパネルは互いに読み替えられてもよい。
【００６１】（無線通信方法）＜第１の実施形態＞  第１の実施形態では、ＤＬ  ＤＣＩの受信と当該ＤＣＩに対応するＰＤＳＣＨの受信との間の時間オフセット（スケジューリングオフセット）がスケジューリングオフセット閾値より小さい場合に、ＵＥは、サービングセルのＰＤＳＣＨのＤＭＲＳポートが、当該サービングセルのアクティブＢＷＰ内の１つ以上のＣＯＲＥＳＥＴが当該ＵＥに設定される最新のスロットにおける特定の関連パネルＩＤの最小のＣＯＲＥＳＥＴ−ＩＤのＰＤＣＣＨ  ＱＣＬ指示のために用いられるＱＣＬパラメータに関するＴＣＩ状態におけるＲＳと、ＱＣＬであると想定してもよい。
【００６２】  ここで、特定の関連パネルＩＤは、例えば、サービングセルのアクティブＢＷＰ内の１つ以上のＣＯＲＥＳＥＴが当該ＵＥに設定される、最新のスロットにおける最小又は最大のパネルＩＤであってもよい。
【００６３】  図４Ａ及び４Ｂは、第１の実施形態におけるＰＤＳＣＨのＤＭＲＳポートのＱＣＬ想定の一例を示す図である。図４Ａの例は、図３の例と同様である。図４Ｂの例は、スケジューリングオフセット１がスケジューリングオフセット閾値以上である点が図４Ａと異なる。なお、これらの例において、上記特定の関連パネルＩＤは、パネルＩＤ１であると想定するが、これに限られない。
【００６４】  図４Ａでは、スケジューリングオフセット１及び２の両方が、スケジューリングオフセット閾値より小さい。したがって、ＵＥは、ＰＤＳＣＨ１のＤＭＲＳポート及びＰＤＳＣＨ２のＤＭＲＳポートの両方が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【００６５】  なお、ＤＣＩ１は、パネル１の最小のＣＯＲＥＳＥＴ−ＩＤのＣＯＲＥＳＥＴで送信されてもよいし、別のＣＯＲＥＳＥＴで送信されてもよい（以下の図面でも同様に、ＣＯＲＥＳＥＴとＤＣＩが記載される場合であっても、当該ＤＣＩは当該ＣＯＲＥＳＥＴに含まれてもよいし、含まれなくてもよい）。
【００６６】  図４Ｂでは、スケジューリングオフセット１はスケジューリングオフセット閾値より大きく、スケジューリングオフセット２はスケジューリングオフセット閾値より小さい。したがって、ＵＥは、ＰＤＳＣＨ１のＤＭＲＳポートが、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＰＤＳＣＨ２のＤＭＲＳポートが、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【００６７】  なお、第１の実施形態の変形例としては、スケジューリングオフセットがスケジューリングオフセット閾値より小さい場合に、ＵＥは、サービングセルのＰＤＳＣＨのＤＭＲＳポートが、当該サービングセルのアクティブＢＷＰ内の１つ以上のＣＯＲＥＳＥＴが当該ＵＥに設定される最新のスロットにおける特定の関連パネルＩＤのＰＤＳＣＨをスケジュールするＰＤＣＣＨのために用いられるＱＣＬパラメータに関するＴＣＩ状態におけるＲＳと、ＱＣＬであると想定してもよい。
【００６８】  図５Ａ及び５Ｂは、第１の実施形態の変形例におけるＰＤＳＣＨのＤＭＲＳポートのＱＣＬ想定の一例を示す図である。図５Ａ及び５Ｂは、ＱＣＬ想定以外はそれぞれ図４Ａ及び４Ｂと同様である。
【００６９】  図５Ａでは、スケジューリングオフセット１及び２の両方が、スケジューリングオフセット閾値より小さい。したがって、ＵＥは、ＰＤＳＣＨ１のＤＭＲＳポート及びＰＤＳＣＨ２のＤＭＲＳポートの両方が、最新のスロットにおけるパネル１のＰＤＳＣＨ（つまり、ＰＤＳＣＨ１）をスケジュールするＤＣＩ（つまり、ＤＣＩ１）に対応するＰＤＣＣＨ用ＴＣＩ状態におけるＲＳと、ＱＣＬであると想定してもよい。
【００７０】  図５Ｂでは、スケジューリングオフセット１はスケジューリングオフセット閾値より大きく、スケジューリングオフセット２はスケジューリングオフセット閾値より小さい。したがって、ＵＥは、ＰＤＳＣＨ１のＤＭＲＳポートが、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＰＤＳＣＨ２のＤＭＲＳポートが、最新のスロットにおけるパネル１のＰＤＳＣＨ（つまり、ＰＤＳＣＨ１）をスケジュールするＤＣＩ（つまり、ＤＣＩ１）に対応するＰＤＣＣＨ用ＴＣＩ状態におけるＲＳと、ＱＣＬであると想定してもよい。
【００７１】  以上説明した第１の実施形態によれば、スケジューリングオフセットがスケジューリングオフセット閾値より小さい場合のＰＤＳＣＨに関するＱＣＬ想定を、特定のパネルに基づいて決定できる。また、スケジューリングオフセットをスケジューリングオフセット閾値より小さくすれば、複数のＰＤＳＣＨに関するＱＣＬ想定を同じにすることができる。
【００７２】＜第２の実施形態＞  第２の実施形態では、ＤＬ  ＤＣＩの受信と当該ＤＣＩに対応するＰＤＳＣＨの受信との間の時間オフセット（スケジューリングオフセット）がスケジューリングオフセット閾値より小さい場合に、ＵＥは、サービングセルのＰＤＳＣＨのＤＭＲＳポートが、サービングセルのアクティブＢＷＰ内の１つ以上のＣＯＲＥＳＥＴが当該ＵＥに設定される最新のスロットにおける対応する関連パネルＩＤ（corresponding  associated  panel  ID）の最小のＣＯＲＥＳＥＴ−ＩＤのＰＤＣＣＨ  ＱＣＬ指示のために用いられるＱＣＬパラメータに関するＴＣＩ状態におけるＲＳと、ＱＣＬであると想定してもよい。
【００７３】  ここで、対応する関連パネルＩＤは、例えば、上記ＰＤＳＣＨ（又はＤＣＩ）の送信又は受信のために用いられるパネルＩＤであってもよい。
【００７４】  図６Ａ及び６Ｂは、第２の実施形態におけるＰＤＳＣＨのＤＭＲＳポートのＱＣＬ想定の一例を示す図である。図６Ａ及び６Ｂは、ＱＣＬ想定以外はそれぞれ図４Ａ及び４Ｂと同様である。
【００７５】  図６Ａでは、スケジューリングオフセット１及び２の両方が、スケジューリングオフセット閾値より小さい。したがって、ＵＥは、ＰＤＳＣＨ１のＤＭＲＳポートが、最新のスロットにおけるパネル１（ＰＤＳＣＨ１のためのパネル）の最小のＣＯＲＥＳＥＴ−ＩＤに対応するＰＤＣＣＨ用ＴＣＩ状態におけるＲＳと、ＱＣＬであると想定してもよい。ＵＥは、ＰＤＳＣＨ２のＤＭＲＳポートが、最新のスロットにおけるパネル２（ＰＤＳＣＨ２のためのパネル）の最小のＣＯＲＥＳＥＴ−ＩＤに対応するＰＤＣＣＨ用ＴＣＩ状態におけるＲＳと、ＱＣＬであると想定してもよい。
【００７６】  図６Ｂでは、スケジューリングオフセット１はスケジューリングオフセット閾値より大きく、スケジューリングオフセット２はスケジューリングオフセット閾値より小さい。したがって、ＵＥは、ＰＤＳＣＨ１のＤＭＲＳポートが、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＰＤＳＣＨ２のＤＭＲＳポートが、最新のスロットにおけるパネル２（ＰＤＳＣＨ２のためのパネル）の最小のＣＯＲＥＳＥＴ−ＩＤに対応するＰＤＣＣＨ用ＴＣＩ状態におけるＲＳと、ＱＣＬであると想定してもよい。
【００７７】  なお、第２の実施形態の変形例としては、サービングセルのＰＤＳＣＨのＤＭＲＳポートが、サービングセルのアクティブＢＷＰ内の１つ以上のＣＯＲＥＳＥＴが当該ＵＥに設定される最新のスロットにおける対応する関連パネルＩＤのＰＤＳＣＨをスケジュールするＰＤＣＣＨのために用いられるＱＣＬパラメータに関するＴＣＩ状態におけるＲＳと、ＱＣＬであると想定してもよい。
【００７８】  図７Ａ及び７Ｂは、第２の実施形態の変形例におけるＰＤＳＣＨのＤＭＲＳポートのＱＣＬ想定の一例を示す図である。図７Ａ及び７Ｂは、ＱＣＬ想定以外はそれぞれ図４Ａ及び４Ｂと同様である。
【００７９】  図７Ａでは、スケジューリングオフセット１及び２の両方が、スケジューリングオフセット閾値より小さい。したがって、ＵＥは、ＰＤＳＣＨ１のＤＭＲＳポートが、最新のスロットにおけるパネル１のＰＤＳＣＨ（つまり、ＰＤＳＣＨ１）をスケジュールするＤＣＩ（つまり、ＤＣＩ１）に対応するＰＤＣＣＨ用ＴＣＩ状態におけるＲＳと、ＱＣＬであると想定してもよい。また、ＵＥは、ＰＤＳＣＨ２のＤＭＲＳポートが、最新のスロットにおけるパネル２のＰＤＳＣＨ（つまり、ＰＤＳＣＨ２）をスケジュールするＤＣＩ（つまり、ＤＣＩ２）に対応するＰＤＣＣＨ用ＴＣＩ状態におけるＲＳと、ＱＣＬであると想定してもよい。
【００８０】  図７Ｂでは、スケジューリングオフセット１はスケジューリングオフセット閾値より大きく、スケジューリングオフセット２はスケジューリングオフセット閾値より小さい。したがって、ＵＥは、ＰＤＳＣＨ１のＤＭＲＳポートが、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＰＤＳＣＨ２のＤＭＲＳポートが、最新のスロットにおけるパネル２のＰＤＳＣＨ（つまり、ＰＤＳＣＨ２）をスケジュールするＤＣＩ（つまり、ＤＣＩ２）に対応するＰＤＣＣＨ用ＴＣＩ状態におけるＲＳと、ＱＣＬであると想定してもよい。
【００８１】  以上説明した第２の実施形態によれば、スケジューリングオフセットがスケジューリングオフセット閾値より小さい場合のＰＤＳＣＨに関するＱＣＬ想定を、対応するパネルに基づいて決定できる。
【００８２】＜その他の実施形態＞  第１の実施形態は、例えば、以下の少なくとも１つを満たす場合に適用されてもよい：・ＵＥが１つのＴＲＰから複数のＰＤＣＣＨ（ＤＣＩ）又はＰＤＳＣＨを受信する場合、・ＵＥがマルチパネルから複数のＰＤＣＣＨ（ＤＣＩ）又はＰＤＳＣＨを受信する場合、・マルチＴＲＰ又はマルチパネル間のＤＣＩのＴＣＩ状態がＱＣＬタイプＤと想定される場合。
【００８３】  第２の実施形態は、例えば、以下の少なくとも１つを満たす場合に適用されてもよい：・ＵＥがマルチＴＲＰから複数のＰＤＣＣＨ（ＤＣＩ）又はＰＤＳＣＨを受信する場合、・ＵＥがマルチパネルから複数のＰＤＣＣＨ（ＤＣＩ）又はＰＤＳＣＨを受信する場合、・マルチＴＲＰ又はマルチパネル間のＤＣＩのＴＣＩ状態がＱＣＬタイプＤと想定されない場合。
【００８４】  なお、これらの条件のなかで、ＤＣＩのＴＣＩ状態は、アクティベートされたＴＣＩ状態、最小のＴＣＩ状態ＩＤ、最小のＣＯＲＥＳＥＴ  ＩＤのＴＣＩ状態などの少なくとも１つで読み替えられてもよい。
【００８５】  第１の実施形態及び第２の実施形態に示したＱＣＬ想定の判断方法は、条件によって使い分けられてもよい。
【００８６】  図４Ａから図７Ｂまでは、図２Ａ及び２Ｂに示したようなマルチＰＤＣＣＨの例を示したが、図２Ｃ及び２Ｄに示したようなシングルＰＤＣＣＨに本開示の各実施形態が適用されてもよい。
【００８７】  例えば、図４Ａにおいて、ＤＣＩ１がなくＤＣＩ２がＰＤＳＣＨ１及びＰＤＳＣＨ２をスケジュールする場合に、ＵＥは、ＰＤＳＣＨ１のＤＭＲＳポート及びＰＤＳＣＨ２のＤＭＲＳポートの両方が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【００８８】  なお、本開示の各実施形態ではＤＣＩ１及びＤＣＩ２の受信タイミングが同じ例を示したが、これに限られない。本開示の各実施形態は、各パネルのＤＣＩの受信タイミングが異なる場合にも適用可能である。
【００８９】  なお、本開示の各実施形態で示したスケジューリングオフセット１及び２は、等しくてもよいし、異なってもよい。
【００９０】  また、本開示の各実施形態で示したスケジューリングオフセット閾値は、パネルに依らず共通である例を示したが、パネルごとに異なってもよい。
【００９１】  ＣＯＲＥＳＥＴ−ＩＤのインデックスの付し方（インデクシング）は、全パネル（又はＴＲＰ又はＤＭＲＳポートグループ）に共通（グローバル）であってもよいし、各パネル（又はＴＲＰ又はＤＭＲＳポートグループ）に独立であってもよい。
【００９２】  例えば、ＣＯＲＥＳＥＴ−ＩＤ＝１及び２がＤＭＲＳポートグループ１に対応し、ＣＯＲＥＳＥＴ−ＩＤ＝３及び４がＤＭＲＳポートグループ２に対応する例を考える。この場合、最小のＣＯＲＥＳＥＴ−ＩＤは、１である。また、最小のＤＭＲＳポートグループの最小のＣＯＲＥＳＥＴ−ＩＤは、１である。また、ＤＭＲＳポートグループ１の最小のＣＯＲＥＳＥＴ−ＩＤは、１である。また、ＤＭＲＳポートグループ２の最小のＣＯＲＥＳＥＴ−ＩＤは、３である。
【００９３】  なお、ＤＭＲＳポートグループは、ＣＯＲＥＳＥＴごとに関連づけられてもよい（例えば、ＲＲＣ情報要素「ControlResourceSet」がＤＭＲＳポートグループの情報を含んでもよい）。ＤＭＲＳポートグループの設定情報が、対応するＣＯＲＥＳＥＴの情報を含んでもよい。例えば、ＤＭＲＳポートグループ１がＣＯＲＥＳＥＴ−ＩＤ＝１及び２に対応することを示す情報がＤＭＲＳポートグループの設定情報によって設定されてもよい。
【００９４】  本開示のＤＭＲＳポートグループは、ＰＤＳＣＨのＤＭＲＳポートグループ、ＰＤＣＣＨのＤＭＲＳポートグループ、ＰＢＣＨのＤＭＲＳポートグループ及び他のチャネルのＤＭＲＳポートグループの少なくとも１つを含んでもよい。
【００９５】  本開示の最小のＣＯＲＥＳＥＴ−ＩＤは、特定の定められたＣＯＲＥＳＥＴ−ＩＤで読み替えられてもよい。
【００９６】（無線通信システム）  以下、本開示の一実施形態に係る無線通信システムの構成について説明する。この無線通信システムでは、本開示の上記各実施形態に係る無線通信方法のいずれか又はこれらの組み合わせを用いて通信が行われる。
【００９７】  図８は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【００９８】  また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【００９９】  ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１００】  無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１０１】  無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０２】  ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１０３】  各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０４】  また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１０５】  複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１０６】  基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１０７】  ユーザ端末２０は、ＬＴＥ、ＬＴＥ−Ａ、５Ｇなどの通信方式の少なくとも１つに対応した端末であってもよい。
【０１０８】  無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１０９】  無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１０】  無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１１１】  また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１１２】  ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１１３】  ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１１４】  なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１５】  ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１１６】  １つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１１７】  ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１１８】  なお、本開示において下りリンク、上りリンクなどは「リンク」を付けずに表現されてもよい。また、各種チャネルの先頭に「物理（Physical）」を付けずに表現されてもよい。
【０１１９】  無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１２０】  同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１２１】  また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１２２】（基地局）  図９は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２３】  なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２４】  制御部１１０は、基地局１０全体の制御を実施する。制御部１１０は、本開示に係る技術分野での共通認識に基づいて説明されるコントローラ、制御回路などから構成することができる。
【０１２５】  制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１２６】  送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１２７】  送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１２８】  送受信アンテナ１３０は、本開示に係る技術分野での共通認識に基づいて説明されるアンテナ、例えばアレイアンテナなどから構成することができる。
【０１２９】  送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３０】  送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３１】  送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１３２】  送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１３３】  送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３４】  一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３５】  送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１３６】  送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１３７】  伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１３８】  なお、本開示における基地局１０の送信部及び受信部は、送受信部１２０、送受信アンテナ１３０及び伝送路インターフェース１４０の少なくとも１つによって構成されてもよい。
【０１３９】  なお、送受信部１２０は、複数のパネルを用いて、複数のＰＤＳＣＨをユーザ端末２０に対して送信してもよい。また、複数の基地局１０の送受信部１２０が、複数のＰＤＳＣＨをユーザ端末２０に対して送信してもよい。
【０１４０】  制御部１１０は、各ＰＤＳＣＨについて、対応する下り制御情報（ＤＣＩ）の受信と当該ＰＤＳＣＨの受信との間の時間オフセットが所定の閾値より小さい場合に、サービングセルのＰＤＳＣＨ（当該ＰＤＳＣＨ）のＤＭＲＳポートが、当該サービングセルのアクティブＢＷＰ内の１つ以上のＣＯＲＥＳＥＴが当該ユーザ端末２０に設定される最新のスロットにおける所定のパネルＩＤの最小のＣＯＲＥＳＥＴ−ＩＤのＰＤＣＣＨ用のＱＣＬ指示のために用いられるＱＣＬパラメータに関するＴＣＩ状態における参照信号と、ＱＣＬになるように、送信処理を行ってもよい。
【０１４１】  なお、上記所定のパネルＩＤは、最小又は最大のパネルＩＤであってもよい。上記所定のパネルＩＤは、対応する関連パネルＩＤ（例えば、ＰＤＳＣＨのために用いられる基地局１０のパネルＩＤ）であってもよい。
【０１４２】  上述の最小のＣＯＲＥＳＥＴ−ＩＤのＰＤＣＣＨは、ＰＤＳＣＨをスケジュールするＰＤＣＣＨであってもよい（限定されてもよい）。また、上述の最小のＣＯＲＥＳＥＴ−ＩＤのＰＤＣＣＨ用のＱＣＬ指示のために用いられるＱＣＬパラメータは、ＰＤＳＣＨをスケジュールするＰＤＣＣＨのために用いられるＱＣＬパラメータで読み替えられてもよい。
【０１４３】（ユーザ端末）  図１０は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４４】  なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４５】  制御部２１０は、ユーザ端末２０全体の制御を実施する。制御部２１０は、本開示に係る技術分野での共通認識に基づいて説明されるコントローラ、制御回路などから構成することができる。
【０１４６】  制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４７】  送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４８】  送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４９】  送受信アンテナ２３０は、本開示に係る技術分野での共通認識に基づいて説明されるアンテナ、例えばアレイアンテナなどから構成することができる。
【０１５０】  送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５１】  送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５２】  送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５３】  送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５４】  なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５５】  送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５６】  一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５７】  送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５８】  送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５９】  なお、本開示におけるユーザ端末２０の送信部及び受信部は、送受信部２２０、送受信アンテナ２３０及び伝送路インターフェース２４０の少なくとも１つによって構成されてもよい。
【０１６０】  なお、送受信部２２０は、複数のＰＤＳＣＨを受信してもよい。当該複数のＰＤＳＣＨは、それぞれ別々のＴＲＰ（別々の基地局１０）から送信されてもよいし、それぞれ別々のパネルから送信されてもよい。
【０１６１】  制御部２１０は、各ＰＤＳＣＨについて、対応する下り制御情報（ＤＣＩ）の受信と当該ＰＤＳＣＨの受信との間の時間オフセットが所定の閾値より小さい場合に、サービングセルのＰＤＳＣＨ（当該ＰＤＳＣＨ）のＤＭＲＳポートが、当該サービングセルのアクティブＢＷＰ内の１つ以上のＣＯＲＥＳＥＴが当該ユーザ端末２０に設定される最新のスロットにおける所定のパネルＩＤの最小のＣＯＲＥＳＥＴ−ＩＤのＰＤＣＣＨ用のＱＣＬ指示のために用いられるＱＣＬパラメータに関するＴＣＩ状態における参照信号と、ＱＣＬであると想定してもよい。制御部２１０は、当該想定に基づいて、ＰＤＳＣＨの受信処理を行ってもよい。
【０１６２】  なお、上記所定のパネルＩＤは、最小又は最大のパネルＩＤであってもよい。上記所定のパネルＩＤは、対応する関連パネルＩＤ（例えば、ＰＤＳＣＨのために用いられる基地局１０のパネルＩＤ）であってもよい。上記所定のパネルＩＤが対応する関連パネルＩＤである場合には、上記複数のＰＤＳＣＨは、それぞれ別々のＴＲＰから送信されると想定されてもよい。
【０１６３】  上述の最小のＣＯＲＥＳＥＴ−ＩＤのＰＤＣＣＨは、ＰＤＳＣＨをスケジュールするＰＤＣＣＨであってもよい（限定されてもよい）。また、上述の最小のＣＯＲＥＳＥＴ−ＩＤのＰＤＣＣＨ用のＱＣＬ指示のために用いられるＱＣＬパラメータは、ＰＤＳＣＨをスケジュールするＰＤＣＣＨのために用いられるＱＣＬパラメータで読み替えられてもよい。
【０１６４】（ハードウェア構成）  なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６５】  ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６６】  例えば、本開示の一実施形態における基地局、ユーザ端末などは、本開示の無線通信方法の処理を行うコンピュータとして機能してもよい。図１１は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６７】  なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１６８】  例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１６９】  基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７０】  プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１７１】  また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７２】  メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７３】  ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７４】  通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７５】  入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７６】  また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７７】  また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７８】（変形例）  なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７９】  無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８０】  ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８１】  スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１８２】  スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８３】  無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８４】  例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８５】  ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８６】  ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８７】  なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８８】  １ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８９】  なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９０】  リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９１】  また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９２】  なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９３】  また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９４】  帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９５】  ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１９６】  設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９７】  なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９８】  また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９９】  本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２００】  本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０１】  また、情報、信号などは、上位レイヤから下位レイヤ及び下位レイヤから上位レイヤの少なくとも一方へ出力され得る。情報、信号などは、複数のネットワークノードを介して入出力されてもよい。
【０２０２】  入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０３】  情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０４】  なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０５】  また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０６】  判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０７】  ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０８】  また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２０９】  本開示において使用する「システム」及び「ネットワーク」という用語は、互換的に使用され得る。「ネットワーク」は、ネットワークに含まれる装置（例えば、基地局）のことを意味してもよい。
【０２１０】  本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１１】  本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１２】  基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１３】  本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２１４】  移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１５】  基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２１６】  また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１７】  同様に、本開示におけるユーザ端末は、基地局で読み替えてもよい。この場合、上述のユーザ端末２０が有する機能を基地局１０が有する構成としてもよい。
【０２１８】  本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１９】  本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２０】  本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２１】  本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２２】  本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２３】  本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２４】  また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２５】  また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２６】  また、「判断（決定）」は、「想定する（assuming）」、「期待する（expecting）」、「みなす（considering）」などで読み替えられてもよい。
【０２２７】  本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２２８】  本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２２９】  本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３０】  本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３１】  本開示において、例えば、英語でのa,  an及びtheのように、翻訳によって冠詞が追加された場合、本開示は、これらの冠詞の後に続く名詞が複数形であることを含んでもよい。
【０２３２】  以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020090059.tif 000003
【図２】
2020090059.tif 000004
【図３】
2020090059.tif 000005
【図４】
2020090059.tif 000006
【図５】
2020090059.tif 000007
【図６】
2020090059.tif 000008
【図７】
2020090059.tif 000009
【図８】
2020090059.tif 000010
【図９】
2020090059.tif 000011
【図１０】
2020090059.tif 000012
【図１１】
2020090059.tif 000013
【国際調査報告】
2020090059.tif 000014
2020090059.tif 000015
2020090059.tif 000016